(57)【要約】【課題】静止画撮影時の雰囲気が伝わるようにする。【解決手段】デジタルカメラ１０が撮影モードである間、データ処理回路３５は、ＣＣＤ３４からの画像データと録音マイク１８からの音声データを１つの動画データに変換してＲＡＭ３８に記録する。データ処理回路３５は、撮影モード中にレリーズボタン２０が押圧操作されると、静止画データ、及びＲＡＭ３８に記録されている撮影前後５秒間分の動画データをメモリコントローラ２３に送信する。メモリコントローラ２３は、動画用と静止画用のファイルを作成して、共通のファイル名、及び動画データか静止画データかを区別するための拡張子を付けてメモリカード２１に記録する。再生画面では、液晶モニタ１５の全面に表示された静止画の一部で静止画撮影時前後の動画が音声付きで再生される。【選択図】        図３
2004297177.tif 000002
【特許請求の範囲】
【請求項１】
被写体像を撮像して動画データ及び静止画データを作成する撮像手段と、
静止画の撮像準備の完了とともに動画データを記録し、一定時間長の動画データの記録後に古い動画データから順次消去しながら新たな動画データを記録して、常に一定時間長の動画データを保持する第１の記録手段と、
撮像手段に静止画の撮像を行わせる指示手段と、
撮像された静止画データと、静止画撮像時に第１の記録手段に記録されている一定時間長の動画データと、静止画撮像後に第１の記録手段に記録された一定時間長の動画データとを関連付けて記録する第２の記録手段とから構成したことを特徴とする画像処理装置。
【請求項２】
前記静止画データと動画データとを再生表示する表示手段を有し、静止画データの再生表示と同時に、動画データを再生表示することを特徴とする請求項１記載の画像処理装置。
【発明の詳細な説明】
【０００１】
【発明の属する技術分野】
本発明は、撮像手段と、この撮像手段によって得た画像データの再生とを行う画像処理装置に関するものである。
【０００２】
【従来の技術】
ＣＣＤイメージセンサなど撮像手段により撮像した被写体画像をデジタルの画像データに変換し、内部メモリやメモリカード、磁気テープなどの記憶媒体に記録する画像処理装置が普及している。これらの画像処理装置には、主に静止画を撮影する目的で使用されるデジタルスチルカメラや、主に動画を撮影する目的で使用されるデジタルビデオカメラなどがある。
【０００３】
最近では、デジタルスチルカメラとデジタルビデオカメラの機能の両立をはかり、動画と静止画の両方を撮影可能としたものもある。しかし、静止画として鑑賞する際に満足のいくように解像度の高さを維持したまま動画として記録すると、データ量が膨大になってしまい記録時間が短くなってしまう。また、動画として鑑賞する際に記録時間を重視すると、静止画として満足のいく解像度のものは得られなかった。
【０００４】
このような問題を解決するために、動画の撮影中に静止画を撮影可能な画像処理装置において、静止画と動画の圧縮方法を変えてそれぞれ記憶媒体の別の領域に保存し、動画撮影中に撮影された静止画の解像度を高めることのできる画像処理装置が提案されている（例えば、特許文献１参照。）。
【０００５】
【特許文献１】
特開平１０−２００８５９号公報
【０００６】
【発明が解決しようとする課題】
しかしながら、上記公報に記載された装置では、記憶媒体に記録された静止画と動画には関連性がないので、記録された静止画を鑑賞する場合に撮影時の雰囲気が伝わりにくいという問題があった。
【０００７】
本発明は上記問題を考慮してなされたものであり、撮影時の雰囲気がより伝わりやすい画像処理装置を提供することを目的とする。
【０００８】
【課題を解決するための手段】
上記目的を達成するために、本発明の画像処理装置は、静止画の撮像準備の完了とともに撮像手段から得た動画データを記録し、一定時間長の動画データの記録後に古い動画データから順次消去しながら新たな動画データを記録して、常に一定時間長の動画データを保持する第１の記録手段と、指示手段により静止画撮像指示がなされたときに、撮像された静止画データと、静止画撮像時に第１の記録手段に記録されている一定時間長の動画データと、静止画撮像後に第１の記録手段に記録された一定時間長の動画データとを関連付けて記録する第２の記録手段とから構成したことを特徴としている。また、表示手段を設けて、この表示手段に関連付けた静止画データと動画データを表示するようにしてもよい。
【０００９】
【発明の実施の形態】
本発明を適用したデジタルカメラ１０の前面側及び背面側の外観斜視図をそれぞれ図１及び図２に示す。また、図３にデジタルカメラ１０の概略的な構成図を示す。デジタルカメラ１０は、内部に設けられた制御部３１により各部を制御され、撮影された画像をデジタルデータ化し、メモリコントローラ２３を介してメモリーカード２１に記録していく。
【００１０】
カメラボディ１１は薄型の略直方体形状に構成され、その前面にスライド操作自在な半月状のレンズバリア１２が組み付けられている。レンズバリア１２を図１に示す開放位置にスライドすることによって撮影レンズ１３や、録音用のマイク１８を露呈させる開口１９、ストロボ装置４２を構成するストロボ発光部１４、ストロボ受光部１５が露呈する。ストロボ装置４２は、被写体から反射されるストロボ光をストロボ受光部１５に設けられた調光センサにより受光し、これをもとにストロボ発光部１４の発光量を調節する。
【００１１】
カメラボディ１１の上面には、静止画の撮影指示を行うときに押圧操作されるレリーズボタン２０が設けられている。カメラボディ１１の側面には、メモリコントローラ２３の一部を構成するメモリカードスロットが設けられ、このメモリカードスロットに対してメモリカード２１が着脱される。
【００１２】
カメラボディ１１の背面には、スピーカ３２を露呈させる複数の開口３３や液晶モニタ１５などが設けられている。液晶モニタ１５には、メニューモードにて各種の表示がなされる他、撮影モードにおいては、フレーミングが行えるように撮影レンズ１３を通して得られた被写体画像をスルー画像として表示する。また、再生モードにおいては、メモリカード２１に記録済みの画像が表示される。液晶モニタ１５は電力消耗量が大きいので、液晶モニタ１５を使用しなくてもフレーミングを行うことができるように光学ファインダも組み込まれている。そして、符号１６，１７がそれぞれファインダ対物窓，ファインダ接眼窓を示す。
【００１３】
また、カメラボディ１１の背面には、各種の操作を行うための操作ボタン部２５ならびに、カーソル操作ボタン３０が設けられている。操作ボタン部２５には、３つのボタンが配置されている。これらのボタンは、押圧操作のたびに電源スイッチのオン／オフ切替えを行う電源ボタン２７、デジタルカメラ１０を撮影モード／再生モード／メニューモードのいずれで作動させるかを選択するとき操作されるモード選択ボタン２８、押圧操作されることによりメニューモードなどで選んだ選択肢を確定させる決定ボタン２９である。
【００１４】
カーソル操作ボタン３０は、例えば、モード選択ボタン２８を押圧操作してメニューモードにしたときに、液晶モニタ１５に表示されるメニュー画面内のカーソルを移動させる。また、再生画面では、記録済みの画像の送り戻しを行うなどの種々の操作を行うことができる。
【００１５】
カーソル操作ボタン３０は、図２において、円形の指標で示したように、円周を等分割する上下左右の４箇所が押圧操作部となっている。それぞれを押圧操作することによってカーソルを上下左右方向に移動させたり、記録済み画像の送り戻しができる。なお、操作ボタンやカーソル操作ボタンなどのボタンの数や配置位置、ならびに割り当てられた機能は、デジタルカメラの機能などに合わせて変更すればよく上記のものに限られない。
【００１６】
図３に示すように、デジタルカメラ１０の内部には、デジタルカメラ１０全体の制御を行う制御部３１の他に、ＣＣＤイメージセンサ（ＣＣＤ）３４、録音マイク１８、データ処理回路３５、メモリコントローラ２３、ＲＡＭ３８などが設けられている。
【００１７】
デジタルカメラ１０を撮影モードにセットすると、撮影レンズ１３の背後に配置されたＣＣＤ３４は、この撮影レンズ１３を通して得られた被写体の光学画像を光電変換して撮像信号を出力する。制御部３１は、この撮像信号を逐次にＡ／Ｄ変換，各種の信号処理により画像データに変換して、データ処理回路３５に送信する。同時に、制御部３１は、録音マイク１８による音声の録音を開始し、得られた音声信号を逐次にＡ／Ｄ変換，各種の信号処理により音声データに変換して、データ処理回路３５に送信する。
【００１８】
データ処理回路３５に送信された画像デ−タと音声データは、対応付けされ１つの動画データに変換された後、ＭＰＥＧやＭ−ＪＰＥＧなど周知の圧縮方式によって圧縮される。そして、データ処理回路３５は、圧縮した動画データをＲＡＭ３８に対して記録する。
【００１９】
後述するように、本実施例において動画は静止画撮影時の雰囲気を再現するために静止画に付加されて使用されるので、動画データの圧縮率は高く設定してある。動画データの圧縮率は任意ではあるが、雰囲気の再現に必要な最低限の解像度を確保できればよいので、動画データのデータ量増加を防止するためにも圧縮率を高めに設定する方が好ましい。
【００２０】
ＲＡＭ３８には、一定時間（本実施例では５秒とした。）分の動画が記録可能である。ＲＡＭ３８への記録は、デジタルカメラ１０を撮影モードにセットした時点から開始されるので、５秒間以上記録が続行される場合がある。この場合に、データ処理回路３５は、ＲＡＭ３８に記録された動画データのうち古いものから順次消去しながら、新たな動画データを記録していく。このようにして、ＲＡＭ３８には、デジタルカメラ１０が撮影モードにセットされている間、５秒前から現在までの動画データが順次更新されながら記録されていく。
【００２１】
撮影モード中にレリーズボタン２０が押圧操作されると、静止画撮影指示が出される。静止画撮影指示が出されるとデータ処理回路３５は、ＲＡＭ３８に記録されている動画データ（撮影前動画）を読み込む。前述のように、ＲＡＭ３８には、５秒前から現在までの動画データが記録されているので、この撮影前動画は、静止画撮影指示が出された５秒前から、静止画撮影指示が出された時点までの動画データである。そして、この撮影前動画をメモリコントローラ２３に対して送信する。
【００２２】
また、データ処理回路３５は、静止画撮影指示が出された時点から５秒間分の動画データ（撮影後動画）がＲＡＭ３８に記録されるのを待ち、この撮影後動画も読み込む。そして、この撮影後動画をメモリコントローラ２３に対して送信する。なお、撮影後動画がＲＡＭ３８に記録されるのを待たずに、データ処理回路３５が撮影後動画を直接メモリコントローラ２３に送信するようにしてもよい。
【００２３】
さらに、データ処理回路３５は、静止画撮影指示が出された時点の静止画データをメモリコントローラ２３に送信する。すなわち、前述のように、撮影モード中は制御部３１からデータ処理回路３５に対して画像データが送信されている。データ処理回路３５は、この画像データのうち静止画撮影指示が出されたときの１画面分の画像データを静止画データとして取得した後、ＪＰＥＧなど周知の圧縮方式によって圧縮する。そして、この圧縮された静止画データを、メモリコントローラ２３に対して送信する。
【００２４】
なお、静止画データの圧縮率は任意であるが、静止画は後にプリントしたりして活用されることを考えると圧縮率を低めに設定した方が好ましい。また、データ処理回路３５は、静止画データをメモリコントローラ２３に送信している間もＲＡＭ３８への動画データの記録を継続して行っている。
【００２５】
メモリコントローラ２３は、データ処理回路３５から撮影前動画、撮影後動画、静止画データが送信されると、動画用と静止画用の２つのファイルを作成する。動画用のファイルには撮影前動画と撮影後動画が格納され、静止画用のファイルには、静止画データが格納される。そして、これら２つのファイルには撮影が行われた順番などに応じて共通のファイル名が付けられる。さらに、各ファイルには、格納されているデータが動画データか、静止画データかを区別するための拡張子が付けられてメモリカード２１に記録される。
【００２６】
また、メモリコントローラ２３は、再生モードにおいてユーザーからの再生指示に応じて、メモリカード２１に記録済みのデータの読み込み行う。メモリコントローラ２３は、ファイル名が同じファイルを同時に読み込む。これによって一連の撮影動作によって撮影された静止画データと動画データが同時に読み込まれる。
【００２７】
読み込まれた静止画データ及び動画データは、データ処理回路３５に送信される。データ処理回路３５は、これらの各データをモニタ表示するための信号変換処理を行った後、液晶モニタ１５に表示させる。図４（ａ）に示すように、表示画面では撮影が行われた前後の動画像が撮影された静止画を背景にして画面の右下部分で再生されるようになっている。動画には音声が含まれているが、この音声はアンプ３６を介して接続されたスピーカ３２より再生される。
【００２８】
また、再生画面では静止画とともに動画が再生されるようにしたが、動画はユーザーからの指示があった場合にのみ表示するようにしてもよい。この場合には、図４（ｂ）に示すように、表示されている静止画を撮影したとき同時に取得された動画が存在するときにはその旨を知らせる指標４０を表示する。そして、ユーザーがこの動画を観察したい場合には、例えば、カーソル操作ボタン３０の下の押圧操作部を押圧するなど、所定の操作を行うことによって、図４（ａ）に示したように、静止画とともに動画が液晶モニタ１５に表示されるようにすればよい。
【００２９】
なお、撮影画像において動画を表示する位置及び動画の表示部分の大きさなどは任意であるので、例えば、ユーザーの好みに合わせて任意のものに変更できるようにしてもよい。また、動画を背景にしてその一部で静止画を表示するようにしてもよい。
【００３０】
以下、上記構成による本発明のデジタルカメラ１０の作用について、図５に示すフローチャートをもとに説明をする。デジタルカメラ１０にて撮影を行うときは、電源ボタン２７を押圧操作し電源をオンした後、モード選択ボタン２８を押圧操作して撮影モードにセットする。
【００３１】
撮影モードにセットされると、ＣＣＤ３４からの画像データと、録音マイク１８からの音声データがデータ処理回路３５に送信される。データ処理回路３５では、画像データと音声データの対応付けがなされ、１つの動画データに変換される。データ処理回路３５は、この動画データを圧縮処理した後、ＲＡＭ３８に記録する。ＲＡＭ３８には、デジタルカメラ１０が撮影モードである間、５秒前から現在までの間の動画データが順次更新されながら記録されていく。
【００３２】
撮影モード中にレリーズボタン２０が押圧操作されると、静止画が撮影される。このとき、データ処理回路３５は、ＲＡＭ３８へ動画データの記録を継続したまま、メモリコントローラ２３に対して静止画データを送信する。同時にデータ処理回路３５は、メモリコントローラ２３に対してＲＡＭ３８に記録されている撮影前動画、撮影後動画を送信する。
【００３３】
メモリコントローラ２３は、データ処理回路３５から撮影前動画、撮影後動画、静止画データが送信されると、動画用と静止画用のファイルを作成する。動画用のファイルには撮影前動画と撮影後動画が格納され、静止画用のファイルには、静止画データが格納される。そして、各ファイルに共通のファイル名及び、格納されているデータが動画データか、静止画データかを区別するための拡張子が付けられてメモリカード２１に記録される。
【００３４】
メモリーカード２１に記録済みの撮影画像を確認したいときは、モード選択ボタン２８を押圧操作して、再生モードにすればよい。再生モードにおいて、メモリコントローラ２３は、ファイル名が同じファイルを同時に読み込む。これによって一連の撮影動作によって撮影された静止画データと動画データが同時に読み込まれる。そして、再生画面では、液晶モニタ１５の全面に表示された静止画の一部で静止画撮影時前後５秒間の動画が音声付きで再生される。記録済みの撮影画像を送り戻しをしたいときは、カーソルキー３０の左右のボタンを押圧操作すればよい。
【００３５】
このように、撮影モードにセットされてからＲＡＭに動画の記録を開始して、常に一定時間長の動画データをＲＡＭに記録し続け、静止画撮影指示がなされたときには、静止画データと、ＲＡＭに記録された静止画撮影時前後の動画とを関連付けてメモリカードに対して記録を行うようにした。また、再生時には、撮影された静止画を表示するだけでなく、静止画撮影時前後の動画を関連付けた形で表示されるようにしたので、撮影時の雰囲気がより伝わりやすい。
【００３６】
また、静止画撮影時前後の動画が静止画とともに記録されるので、静止画撮影時にシャッターチャンスを逃してしまったなどの場合に、撮影後に静止画撮影時前後の動画の中から必要なコマを取り出して、静止画として活用するといったことも可能である。
【００３７】
上記実施形態では、メモリカードに記録済みの撮影画像を液晶モニタにて観察する例で説明をしたが、記録済みの撮影画像をパソコンなど他の機器の画面に表示して観察する場合が考えられる。この場合には、専用のアプリケーションなどを用いることによって、デジタルカメラにて表示される再生画面と同様に、静止画と動画を関連付けた形で表示するようにすればよい。こうすることによって、デジタルカメラ以外でも撮影時の雰囲気がより伝わりやすい撮影画像を観察することができる。
【００３８】
上記実施形態では、一連の撮影動作で記録された動画データと静止画データは、共通のファイル名、及び格納されたデータの種類を識別するための拡張子とが付けられて、別々のファイルに格納される例で説明をしたが、本発明はこれに限られない。動画データと静止画データが格納されるファイル名を共通にしなくてもよい。この場合は、ファイルに各データを記録するとき、同時にファイルのデータ管理領域に一連の撮影で記録されたことを表すためのリンク情報を記録するようにすればよい。また、１つのファイルに動画データと静止画データを格納するようにしてもよい。
【００３９】
また、上記実施形態では、静止画に関連付けられて記録される動画は、静止画撮影時前後５秒間である例で説明をしたが、本発明はこれに限られない。静止画撮影時の雰囲気が伝わればよいので、添付する動画は静止画撮影時前後５秒以上でもよいし、５秒未満であってもよい。また、静止画撮影時前と静止画撮影時後の動画の時間が異なっていてもよい。
【００４０】
【発明の効果】
以上のように、本発明の画像処理装置によれば、撮影準備が完了した時点から第１の記録手段へ動画の記録を開始し、常に最新の動画データが一定時間長分第１の記録手段に記録されるようにして、静止画撮影指示がなされたときには、静止画データと、第１の記録手段に記録されている静止画撮影時前後の動画とを関連付けて第２の記録手段に対して記録を行うようにした。また、再生時には、撮影された静止画を表示するだけでなく、静止画撮影時前後の動画を関連付けた形で表示されるようにしたので、撮影時の雰囲気がより伝わりやすい。
【００４１】
また、静止画撮影時前後の動画を静止画とともに記録するようにしたので、静止画撮影時にシャッターチャンスを逃してしまったなどの場合に、撮影後に動画の中から必要なコマを取り出して、静止画として活用するといったこともできる。
【図面の簡単な説明】
【図１】デジタルカメラの正面側斜視図である。
【図２】デジタルカメラの背面側斜視図である。
【図３】デジタルカメラの構成を示すブロック図である。
【図４】再生画面にて撮影画像がどのように表示されるかを示す説明図である。
【図５】記録の流れを表すフローチャートである。
【符号の説明】
１０  デジタルカメラ
１３  撮影レンズ
１５  液晶モニタ
１８  録音マイク
２０  レリーズボタン
２１  メモリーカード
２３  メモリコントローラ
２５  操作ボタン部
２８  モード選択ボタン
３０  カーソル操作ボタン
３１  制御部
３２  スピーカ
３４  ＣＣＤ
３５  データ処理回路
３８  ＲＡＭ
４０  指標
【図１】
2004297177.tif 000003
【図２】
2004297177.tif 000004
【図３】
2004297177.tif 000005
【図４】
2004297177.tif 000006
【図５】
2004297177.tif 000007